【手続補正書】
【提出日】平成17年7月7日(2005.7.7)
【手続補正１】
【補正対象書類名】明細書
【補正対象項目名】発明の名称
【補正方法】変更
【補正の内容】
【発明の名称】外科用ケーブルシステム
【手続補正２】
【補正対象書類名】明細書
【補正対象項目名】特許請求の範囲
【補正方法】変更
【補正の内容】
【特許請求の範囲】
【請求項１】  本体、ここで本体は内部空洞、導管、および突起物を含み、導管は内部空洞と通じており、突起物は開口部を含む；
使用中に骨の一部を係合するためのループを形成するために導管を通るように構成されたケーブル、ここで、ケーブルの一部は使用中に内部空洞の中に延びる；および
突出部を含むピン；
を含む骨固定システムであって、
ピンが、使用中に内部空洞内で、ケーブルの一部を本体に関して確保するための第一位置に配置可能であり、かつピンが、使用中にケーブルが本体に関して移動可能であるように使用中に第二位置に配置可能であり、
そして、ピンが第一方向に回転して第一位置に入るように構成され、ピンが第一位置にあるときに開口部を係合するように突出部が構成され、突出部と開口部との係合が、使用中に第一方向での更なる回転を可能にしながら、第一方向と反対の方向でのピンの回転を実質的に阻止する
ところのシステム。
【請求項２】  導管が本体の中を横方向に通って内部空洞と通じており、かつ導管が内部空洞に関して実質的に垂直に配位している、請求項１に記載のシステム。
【請求項３】  内部空洞が、導管と内部空洞の間に位置する開き口を含み、開き口は、ケーブルの一部が使用中に開き口を通って内部空洞の中に延び得るように位置している、請求項１に記載のシステム。
【請求項４】  ピンが溝をさらに含み、ここで溝はケーブルの直径より実質的に大きい幅を有し、かつ溝はピン上に位置して、使用中にケーブルがピンを通り過ぎて自由に動くことを可能にする、請求項１に記載のシステム。
【請求項５】  ピンが溝をさらに含み、ここで溝は使用中に導管と一直線に並ぶように適合され、そして溝が、使用中にケーブルが導管を通って移動することを可能にするように構成されている、請求項１に記載のシステム。
【請求項６】  ピンが溝をさらに含み、ここで溝は、使用中にピンが第一位置にあるとき、導管に対して実質的に垂直に配位している、請求項１に記載のシステム。
【請求項７】  使用中にケーブルが本体内で確保されるように、ピンがケーブルを導管に対して押しつけるように構成されている、請求項１に記載のシステム。
【請求項８】  ピンが上側部分および下側部分をさらに含み、上側部分が下側部分の直径より実質的に大きい直径を含み、上側部分上に突出部が形成されている、請求項１に記載のシステム。
【請求項９】  ピンが上側部分および下側部分をさらに含み、下側部分が内部空洞の直径より実質的に小さい直径を含む、請求項１に記載のシステム。
【請求項１０】  ピンが上側部分および下側部分をさらに含み、上側部分が内部空洞の直径より実質的に大きい直径を含む、請求項１に記載のシステム。
【請求項１１】  ピンが内部空洞内に確保される、請求項１に記載のシステム。
【請求項１２】  使用中にケーブルの一部を本体に関して確保するために、ピンが第二位置から第一位置へ回転するように構成されている、請求項１に記載のシステム。
【請求項１３】  使用中にケーブルの一部が本体を通って移動することを可能にするために、ピンが第一位置から第二位置へ回転するように構成されている、請求項１に記載のシステム。
【請求項１４】  ピンが第一方向に回転するように構成され、第一方向と反対の方向でのピンの回転を阻止するように突出部が構成されている、請求項１に記載のシステム。
【請求項１５】  ピンが第一方向に回転して第一位置に入るように構成され、ピンが第一位置にあるときに開口部を係合するように突出部が構成され、突出部と開口部との係合が第一方向と反対の方向でのピンの回転を実質的に阻止する、請求項１に記載のシステム。
【請求項１６】  骨がヒトの脊椎骨である、請求項１に記載のシステム。
【請求項１７】  内部空洞、導管、第一突起物および第二突起物を含む本体、ここで、導管は内部空洞と通じており、第一突起物および第二突起物は一緒になって開口部を規定し、内部空洞は本体を通っている；
使用中に骨の一部を係合するためのループを形成するために導管を通るように構成されたケーブル、ここで、ケーブルの一部は使用中に内部空洞の中に延びる；および
上側部分を含むピン、ここで、上側部分は突出部を含む；
を含む骨固定システムであって、
ピンが、使用中に内部空洞内で、ケーブルの一部を本体に関して確保するための第一位置に配置可能であり、かつピンが、使用中にケーブルが本体に関して移動可能であるように、使用中に内部空洞内で第二位置に配置可能であり、
そして、ピンの回転が使用中に実質的に妨げられるように、ピンが第一位置にあるときに突出部が開口部内にフィットするように構成されている
ところのシステム。
【請求項１８】  導管が本体の中を横方向に通って内部空洞と通じており、かつ導管が内部空洞に関して実質的に垂直に配位している、請求項１７に記載のシステム。
【請求項１９】  内部空洞が、導管と内部空洞の間に位置する開き口を含み、開き口は、ケーブルの一部が使用中に開き口を通って内部空洞の中に延び得るように位置している、請求項１７に記載のシステム。
【請求項２０】  ピンが溝をさらに含み、ここで溝はケーブルの直径より実質的に大きい幅を有し、かつ溝はピン上に位置して、使用中にケーブルがピンを通り過ぎて自由に動くことを可能にする、請求項１７に記載のシステム。
【請求項２１】  ピンが溝をさらに含み、ここで溝は使用中に導管と一直線に並ぶように構成され、そして溝は、使用中にケーブルが導管を通って移動することを可能にするように構成されている、請求項１７に記載のシステム。
【請求項２２】  ピンが溝をさらに含み、ここで溝は、使用中にピンが第一位置にあるとき、導管に対して実質的に垂直に向いている、請求項１７に記載のシステム。
【請求項２３】  ピンが下側部分をさらに含み、ここで下側部分は、使用中にケーブルが本体内で確保されるように、ケーブルを導管に対して押しつけるように構成されている、請求項１７に記載のシステム。
【請求項２４】  ピンが下側部分をさらに含み、上側部分が下側部分の直径より実質的に大きい直径を含む、請求項１７に記載のシステム。
【請求項２５】  ピンが下側部分をさらに含み、下側部分が内部空洞の直径より実質的に小さい直径を含む、請求項１７に記載のシステム。
【請求項２６】  ピンの上側部分が内部空洞の直径より実質的に大きい直径を含む、請求項１７に記載のシステム。
【請求項２７】  ピンが内部空洞内に確保されている、請求項１７に記載のシステム。
【請求項２８】  第一突起物および第二突起物が本体の側面で互いに一定の距離を置いて位置している、請求項１７に記載のシステム。
【請求項２９】  使用中にケーブルを本体に関して確保するために、ピンが第二位置から第一位置へ回転するように構成されている、請求項１７に記載のシステム。
【請求項３０】  使用中にケーブルの一部が本体を通って移動することを可能にするために、ピンが第一位置から第二位置へ回転するように構成されている、請求項１７に記載のシステム。
【請求項３１】  ピンが第一方向に回転するように構成され、かつ第一方向と反対の方向でのピンの回転を阻止するように突出部が構成されている、請求項１７に記載のシステム。
【請求項３２】  ピンが第一方向に回転して第一位置に入るように構成され、ピンが第一位置にあるときに開口部を係合するように突出部が構成され、そして突出部と開口部との係合が第一方向と反対の方向でのピンの回転を実質的に阻止する、請求項１７に記載のシステム。
【請求項３３】  内部空洞が導管に対して実質的に垂直に配位している、請求項１７に記載のシステム。
【請求項３４】  骨がヒトの脊椎骨である、請求項１７に記載のシステム。
【請求項３５】  内部空洞、導管、第一突起物および第二突起物を含む本体、ここで、第一突起物は第一開口部を含み、第二突起物は第二開口部を含み、導管は内部空洞と通じるように構成され、第一突起物および第二突起物が本体の向かい合う側に位置している；
使用中に骨の一部を係合するためのループを形成するために導管を通るように構成されたケーブル、ここで、ケーブルの一部は使用中に内部空洞の中に延びている；および
上側部分を含むピン、ここで、上側部分は第一突出部および第二突出部を含む；
を含む骨固定システムであって、
ピンが、ケーブルを本体に関して確保するために第一位置へと回転可能であり、かつピンが、ケーブルが使用中に本体に関して移動可能であるように第二位置へと回転可能であり、
そして、ピンが第一位置にあるときに第一開口部を係合するように第一突出部が構成され、ピンが第二位置にあるときに第二開口部を係合するように第二突出部が構成され、第一および第二突出部と第一および第二開口部との係合が、使用中にピンの回転を実質的に妨げる
ところのシステム。
【請求項３６】  導管が本体の中を横方向に通って内部空洞と通じており、かつ導管が内部空洞に関して実質的に垂直に配位している、請求項３５に記載のシステム。
【請求項３７】  内部空洞が、導管と内部空洞の間に位置する開き口を含み、開き口は、ケーブルの一部が使用中に開き口を通って内部空洞の中に延び得るように位置している、請求項３５に記載のシステム。
【請求項３８】  ピンが溝をさらに含み、ここで溝はケーブルの直径より実質的に大きい幅を有し、かつ溝はピン上に位置して、使用中にケーブルがピンを通り過ぎて自由に動くことを可能にする、請求項３５に記載のシステム。
【請求項３９】  ピンが溝をさらに含み、ここで溝は使用中に導管と一直線に並ぶようにピン上に位置しており、かつ溝は、使用中にケーブルが本体を通って移動することを可能にする、請求項３５に記載のシステム。
【請求項４０】  ピンが溝をさらに含み、ここで溝は、使用中にピンが第一位置にあるとき、導管に対して実質的に垂直に向いている、請求項３５に記載のシステム。
【請求項４１】  ピンが下側部分をさらに含み、ここで下側部分は、使用中にケーブルが本体内で確保されるようにケーブルを導管に対して押しつけるように構成されている、請求項３５に記載のシステム。
【請求項４２】  ピンが下側部分をさらに含み、上側部分が下側部分の直径より実質的に大きい直径を含む、請求項３５に記載のシステム。
【請求項４３】  ピンが内部空洞内に確保されている、請求項３５に記載のシステム。
【請求項４４】  使用中にケーブルが本体を通って移動することを可能にするためにピンが第一位置から第二位置へ回転するように構成されている、請求項３５に記載のシステム。
【請求項４５】  使用中にケーブルを本体に関して確保するためにピンが第二位置から第一位置へ回転するように構成されている、請求項３５に記載のシステム。
【請求項４６】  ピンが第一方向に回転するように構成され、第一および第二突出部が第一方向と反対の方向でのピンの回転を阻止するように構成されている、請求項３５に記載のシステム。
【請求項４７】  骨がヒトの脊椎骨である、請求項３５に記載のシステム。
【請求項４８】  内部空洞、導管および突起物を含む本体、ここで、導管は内部空洞と通じており、突起物は開口部を含む；および
突出部および溝を含むピン；
を含む骨固定デバイスであって、
ピンは空洞内にフィットするように構成され、溝および導管は使用中にケーブルを受けるように配列可能であり、ピンは、溝が導管と実質的に一直線に並ぶように使用中に空洞内で第一位置に配置可能であり、かつピンは、溝が導管に対して実質的に垂直であるように空洞内で第二位置に配置可能であり、
そして、ピンが第一方向に回転して第一位置に入るように構成され、ピンが第一位置にあるときに開口部を係合するように突出部が構成され、突出部と開口部との係合が、使用中に第一方向での更なる回転を可能にしながら、第一方向と反対の方向でのピンの回転を実質的に阻止する
ところのデバイス。
【請求項４９】  導管が本体の中を横方向に通って内部空洞と通じており、かつ導管が内部空洞に関して実質的に垂直に配位している、請求項４８に記載のデバイス。
【請求項５０】  導管と内部空洞の間に開き口が配置されている、請求項４８に記載のデバイス。
【請求項５１】  ピンが上側部分および下側部分をさらに含み、上側部分が下側部分の直径より実質的に大きい直径を含み、上側部分上に突出部が形成されている、請求項４８に記載のデバイス。
【請求項５２】  ピンが上側部分および下側部分をさらに含み、下側部分が内部空洞の直径より実質的に小さい直径を含む、請求項４８に記載のデバイス。
【請求項５３】  ピンが上側部分および下側部分をさらに含み、上側部分が内部空洞の直径より実質的に大きい直径を含む、請求項４８に記載のデバイス。
【請求項５４】  ピンが内部空洞内に確保されている、請求項４８に記載のデバイス。
【請求項５５】  使用中にピンが第二位置から第一位置へ回転するように構成されている、請求項４８に記載のデバイス。
【請求項５６】  使用中にピンが第一位置から第二位置へ回転するように構成されている、請求項４８に記載のデバイス。
【請求項５７】  ピンが第一方向に回転するように構成され、第一方向と反対の方向でのピンの回転を阻止するように突出部が構成されている、請求項４８に記載のデバイス。
【請求項５８】  ピンが第一方向に回転して第一位置に入るように構成され、ピンが第一位置にあるときに開口部を係合するように突出部が構成され、突出部と開口部との係合が第一方向と反対の方向でのピンの回転を実質的に阻止する、請求項４８に記載のデバイス。
【請求項５９】  骨がヒトの脊椎骨である、請求項４８に記載のデバイス。
【手続補正３】
【補正対象書類名】明細書
【補正対象項目名】０００１
【補正方法】変更
【補正の内容】
【０００１】
【発明の属する技術分野】
本発明は広く、外科用ケーブルシステム等に関する。より詳細には、本発明の一実施態様は、ヒトの骨の一部分の回りに外科用ケーブルを確保するための装置に関する。